(57)【要約】【課題】低コストでシステムを構築でき、かつ、システム内のトラフィックを増加させることなく、発言権が解放されたタイミングで発言権の取得が可能な、携帯情報機器およびその制御方法を提供する。【解決手段】ＰｏＣによる通話の際に、携帯電話機では、ＰｏＣサーバから送信されてくる信号に基づいて発言権についての情報が適宜更新される。そして、携帯電話機は、通話に参加しているいずれかの端末に発言権が割り当てられていると判断した後（Ｓ４でＹＥＳ判断時）、当該携帯電話機において操作キー（発言権を取得するためのキー）を操作されると（Ｓ７でＹＥＳ判断時）、ＰｏＣサーバから発言権が解放された旨の信号を受信したことを条件として（Ｓ８でＹＥＳ判断時）、ＰｏＣサーバに発言権を取得することを要求する信号を送信する。【選択図】図４
2008109187.tif 000002
【特許請求の範囲】
【請求項１】
サーバ装置に接続することにより他機との通話が可能である携帯情報端末であって、
前記サーバ装置に対して、通話における発言権を要求する信号である発言権要求信号を送信する送信手段と、
前記サーバ装置から送信される、通話における発言権の割り当てを報知する発言権割当信号および発言権の解放を報知する発言権解放信号を受信する受信手段と、
情報の入力を受付ける入力手段とを含み、
前記出力手段は、前記受信手段が前記発言権割当信号を受信してから前記発言権解放信号を受信するまでに前記入力手段に情報の入力があった場合には、前記受信手段が前記発言権解放信号を受信したことを条件として、前記発言権要求信号を送信する、携帯情報端末。
【請求項２】
サーバ装置に接続することにより他機との通話が可能である携帯情報端末であって、
前記サーバ装置に対して、通話における発言権を要求する信号である発言権要求信号を送信する送信手段と、
前記サーバ装置から送信される、通話における発言権の割り当てを報知する発言権割当信号および発言権の解放を報知する発言権解放信号を受信する受信手段と、
情報の入力を受付ける入力手段とを含み、
前記出力手段は、前記受信手段が前記発言権割当信号を受信してから前記発言権解放信号を受信するまでに前記入力手段に情報の入力があった場合には、前記受信手段が前記発言権割当信号を受信してから特定の時間が経過したことを条件として、前記発言権要求信号を送信する、携帯情報端末。
【請求項３】
前記出力手段は、前記受信手段の受信した前記発言権割当信号が前記携帯情報端末に対して発言権を割り当てるものであった場合には、次回前記受信手段が前記発言権解放信号を受信するまでは、前記入力手段に対する情報の入力を無効化する、請求項１または請求項２に記載の携帯情報機器。
【請求項４】
通話中の前記携帯情報端末および他機の発言権割当回数を記憶する割当回数記憶手段をさらに含み、
前記出力手段は、前記受信手段が前記発言権割当信号を受信してから前記発言権解放信号を受信するまでに前記入力手段に情報の入力があった場合、前記割当回数記憶手段に記憶される前記携帯情報端末の発言権割当回数の通話に参加する全機器の発言権割当回数に対する割合が一定の割合以下であることをさらなる条件として、前記発言権要求信号を送信する、請求項１〜請求項３のいずれかに記載の携帯情報機器。
【請求項５】
通話中の前記携帯情報端末および他機の発言権割当時間を記憶する割当時間記憶手段をさらに含み、
前記出力手段は、前記受信手段が前記発言権割当信号を受信してから前記発言権解放信号を受信するまでに前記入力手段に情報の入力があった場合、前記割当回数記憶手段に記憶される前記携帯情報端末の発言権割当時間の通話に参加する全機器の発言権割当時間に対する割合が所定の割合以下であることをさらなる条件として、前記発言権要求信号を送信する、請求項１〜請求項４のいずれかに記載の携帯情報機器。
【請求項６】
サーバ装置に接続することにより他機との通話が可能である携帯情報端末の制御方法であって、
前記サーバ装置から送信される、通話における発言権の割り当てを報知する発言権割当信号を受信する第１の受信ステップと、
前記サーバ装置から送信される、通話における発言権の解放を報知する発言権解放信号を受信する第２の受信ステップと、
情報の入力を受付ける入力ステップと、
前記第１の受信ステップで前記発言権割当信号を受信してから前記第２の受信ステップで前記発言権解放信号を受信するまでに前記入力ステップにおいて情報の入力を受付けた場合に、前記第２の受信ステップで前記発言権解放信号を受信したことを条件として通話における発言権を要求する信号である発言権要求信号を前記サーバ装置に送信する出力ステップとを含む、携帯情報端末の制御方法。
【請求項７】
サーバ装置に接続することにより他機との通話が可能である携帯情報端末の制御方法であって、
前記サーバ装置から送信される、通話における発言権の割り当てを報知する発言権割当信号を受信する第１の受信ステップと、
前記サーバ装置から送信される、通話における発言権の解放を報知する発言権解放信号を受信する第２の受信ステップと、
情報の入力を受付ける入力ステップと、
前記第１の受信ステップで前記発言権割当信号を受信してから前記第２の受信ステップで前記発言権解放信号を受信するまでに前記入力ステップにおいて情報の入力を受付けた場合に、前記第１の受信ステップで前記発言権割当信号を受信してから特定の時間が経過したことを条件として通話における発言権を要求する信号である発言権要求信号を前記サーバ装置に送信する出力ステップとを含む、携帯情報端末の制御方法。
【発明の詳細な説明】
【技術分野】
【０００１】
本発明は、携帯情報機器およびその制御方法に関し、特に、サーバ装置に接続することにより他機との通話が可能である携帯情報端末およびその制御方法に関する。
【背景技術】
【０００２】
従来から、パケット網を用い、１対多人数の通話を行なうことができるシステムが知られている。このようなシステムには、たとえば、ＰｏＣ（Push-to-Talk over Cellular）システムがある。このシステムは、携帯情報端末間をＩＰ（Internet Protocol）ネットワーク上で通話可能にするＶｏＩＰ（Voice over IP）をベースにしたシステムである。
【０００３】
なお、このようなシステムでは、二人以上が同時に送話することはできず、当該システムに備えられているサーバ装置（以下、ＰｏＣサーバと呼ぶ）から発言権を取得したユーザのみが送話することができる。
【０００４】
このようなシステムでは、ＰｏＣサーバによって発言権が管理される。ＰｏＣサーバは、発言権を要求してきた１の携帯情報機器に対して発言権を与え、当該携帯情報機器から発言権を解放する旨を通知された場合には、通話に参加しているすべての携帯情報機器に対して発言権が解放された旨を通知し、次の発言権の要求を待つ。また、ＰｏＣサーバは、さらに、通話メンバーの登録、メンバーの「不在」や「在室」などの参加可否情報の把握（プレゼンス機能）を有している。
【０００５】
このようなシステムにおける発言権の管理について、特許文献１に開示された技術を含め、種々の技術が開示されてきた。
【０００６】
図６に、特許文献１に開示された通話システムの構成を模式的に示す。このシステムでは、携帯端末♯１〜♯ｎが、移動体通信網およびＩＰネットワークを介して、ＰｏＣサーバに接続されている。このシステムは、携帯端末♯１〜♯ｎ間の通話を半二重で行なうシステムである。そして、このシステムでは、ＰｏＣサーバは、ＰｏＣの発言権を管理する。このシステムにおける発言権の割り当てについて、図７を参照して説明する。なお、特許文献１では、発言権は、「話者権」として言及されている。
【０００７】
図７を参照して、携帯端末♯１〜♯ｎは、話者権取得のために操作されるキー（以下、ＰｏＣキーと呼ぶ）を備えている。そして、携帯端末♯１においてＰｏＣキーが押下されると、矢印ａ１で示されるように、携帯端末♯１からＰｏＣサーバへと、通知がなされる。ＰｏＣサーバは、話者権解放状態（ａ２）にあるときに携帯端末♯１から通知を受けたことに応じて、携帯端末♯１へ話者権を割り当て、その旨を矢印ａ３に示すように携帯端末♯１〜♯ｎに、ステータス情報として通知する。これにより、話者権は携帯端末♯１に占有された状態となる（ａ４）。
【０００８】
このシステムにおいて、携帯端末♯１から話者権が解放される前に携帯端末♯２においてＰｏＣキーが押下されると、矢印ａ５として示すように、携帯端末♯２からＰｏＣサーバへとその旨が通知される。これに応じて、ＰｏＣサーバは、携帯端末♯１〜♯ｎに対して、携帯端末♯２によって次の話者権の割り当てについての予約がなされたことがステータス情報として通知される。
【０００９】
このような話者権の予約がなされていると、携帯端末♯１からＰｏＣサーバに対して発言権を解放する旨の通知（ＰｏＣキーが解放された旨の通知、矢印ａ７参照）がなされたことに応じて、話者権が一時的に解放された後（ａ８）、携帯端末♯２に対して話者権が割り当てられたことを報知するステータス情報が送信される。これにより、ＰｏＣサーバでは、再度話者権が占有された状態となる（ａ１０）。
【００１０】
以上説明したように、特許文献１では、ＰｏＣサーバは、話者権が占有された状態であっても、携帯端末から話者権を要求する情報を受信すると、当該携帯端末に次の話者権を割り当てるための予約動作を行なうよう構成されていた。
【特許文献１】特開２００６−１８０１４３号公報
【発明の開示】
【発明が解決しようとする課題】
【００１１】
上記したような特許文献１に開示された技術では、携帯端末のユーザは、発言権の予約ができるため、発言権が解放されたタイミングで発言権獲得のための操作をしなくとも、発言権が解放されたタイミングで発言権を取得できるものの、サーバの構築に莫大な費用が必要とされるという課題があった。また、特許文献１に開示された技術では、発言権の予約のために信号の送受信が行なわれるため（図７の矢印ａ５およびａ６参照）、システムにおけるトラフィック増加が生じるという課題もあった。
【００１２】
本発明は、係る実情に鑑み考え出されたものであり、その目的は、低コストでシステムを構築でき、かつ、システム内のトラフィックを増加させることなく、発言権が解放されたタイミングで発言権の取得が可能な、携帯情報機器およびその制御方法を提供することである。
【課題を解決するための手段】
【００１３】
本発明のある局面に従った携帯情報端末は、サーバ装置に接続することにより他機との通話が可能である携帯情報端末であって、前記サーバ装置に対して、通話における発言権を要求する信号である発言権要求信号を送信する送信手段と、前記サーバ装置から送信される、通話における発言権の割り当てを報知する発言権割当信号および発言権の解放を報知する発言権解放信号を受信する受信手段と、情報の入力を受付ける入力手段とを含み、前記出力手段は、前記受信手段が前記発言権割当信号を受信してから前記発言権解放信号を受信するまでに前記入力手段に情報の入力があった場合には、前記受信手段が前記発言権解放信号を受信したことを条件として、前記発言権要求信号を送信することを特徴とする。
【００１４】
本発明の他の局面に従った携帯情報端末は、サーバ装置に接続することにより他機との通話が可能である携帯情報端末であって、前記サーバ装置に対して、通話における発言権を要求する信号である発言権要求信号を送信する送信手段と、前記サーバ装置から送信される、通話における発言権の割り当てを報知する発言権割当信号および発言権の解放を報知する発言権解放信号を受信する受信手段と、情報の入力を受付ける入力手段とを含み、前記出力手段は、前記受信手段が前記発言権割当信号を受信してから前記発言権解放信号を受信するまでに前記入力手段に情報の入力があった場合には、前記受信手段が前記発言権割当信号を受信してから特定の時間が経過したことを条件として、前記発言権要求信号を送信することを特徴とする。
【００１５】
また、本発明に従った携帯情報端末では、前記出力手段は、前記受信手段の受信した前記発言権割当信号が前記携帯情報端末に対して発言権を割り当てるものであった場合には、次回前記受信手段が前記発言権解放信号を受信するまでは、前記入力手段に対する情報の入力を無効化することが好ましい。
【００１６】
また、本発明に従った携帯情報端末は、通話中の前記携帯情報端末および他機の発言権割当回数を記憶する割当回数記憶手段をさらに含み、前記出力手段は、前記受信手段が前記発言権割当信号を受信してから前記発言権解放信号を受信するまでに前記入力手段に情報の入力があった場合、前記割当回数記憶手段に記憶される前記携帯情報端末の発言権割当回数の通話に参加する全機器の発言権割当回数に対する割合が一定の割合以下であることをさらなる条件として、前記発言権要求信号を送信することが好ましい。
【００１７】
また、本発明に従った携帯情報端末は、通話中の前記携帯情報端末および他機の発言権割当時間を記憶する割当時間記憶手段をさらに含み、前記出力手段は、前記受信手段が前記発言権割当信号を受信してから前記発言権解放信号を受信するまでに前記入力手段に情報の入力があった場合、前記割当回数記憶手段に記憶される前記携帯情報端末の発言権割当時間の通話に参加する全機器の発言権割当時間に対する割合が所定の割合以下であることをさらなる条件として、前記発言権要求信号を送信することが好ましい。
【００１８】
本発明のある局面に従った携帯情報端末の制御方法は、サーバ装置に接続することにより他機との通話が可能である携帯情報端末の制御方法であって、前記サーバ装置から送信される、通話における発言権の割り当てを報知する発言権割当信号を受信する第１の受信ステップと、前記サーバ装置から送信される、通話における発言権の解放を報知する発言権解放信号を受信する第２の受信ステップと、情報の入力を受付ける入力ステップと、前記第１の受信ステップで前記発言権割当信号を受信してから前記第２の受信ステップで前記発言権解放信号を受信するまでに前記入力ステップにおいて情報の入力を受付けた場合に、前記第２の受信ステップで前記発言権解放信号を受信したことを条件として通話における発言権を要求する信号である発言権要求信号を前記サーバ装置に送信する出力ステップとを含むことを特徴とする。
【００１９】
本発明の他の局面に従った携帯情報端末の制御方法は、サーバ装置に接続することにより他機との通話が可能である携帯情報端末の制御方法であって、前記サーバ装置から送信される、通話における発言権の割り当てを報知する発言権割当信号を受信する第１の受信ステップと、前記サーバ装置から送信される、通話における発言権の解放を報知する発言権解放信号を受信する第２の受信ステップと、情報の入力を受付ける入力ステップと、前記第１の受信ステップで前記発言権割当信号を受信してから前記第２の受信ステップで前記発言権解放信号を受信するまでに前記入力ステップにおいて情報の入力を受付けた場合に、前記第１の受信ステップで前記発言権割当信号を受信してから特定の時間が経過したことを条件として通話における発言権を要求する信号である発言権要求信号を前記サーバ装置に送信する出力ステップとを含むことを特徴とする。
【発明の効果】
【００２０】
本発明のある局面によれば、発言権がシステム内のいずれかの端末に割り当てられてから解放されるまでに携帯情報端末において入力手段に情報が入力されると、サーバ装置において発言権の予約のための処理がなされなくとも、携帯情報端末自身が、発言権が解放されたタイミングで発言権を要求するための処理を実行する。
【００２１】
これにより、携帯情報端末は、サーバ装置に発言権の予約のための処理等を行なわせるようなシステムのコストを上昇させることを必要とせず、また、発言権の予約のための信号の送受信が不要であることからシステム内のトラフィックを増加させることなく、そして、発言権が解放されたタイミングで発言権を取得することができる。
【００２２】
本発明の他の局面によれば、発言権がシステム内のいずれかの端末に割り当てられてから解放されるまでに携帯情報端末において入力手段に情報が入力されると、当該発言権が割り当てられてから特定の時間が経過したことを条件として、サーバ装置による発言権の予約のための制御が行なわれなくとも、携帯情報端末自身が、発言権を要求するための処理を実行する。
【００２３】
これにより、たとえば発言権を継続して占有する最大時間が定められているようなシステムであれば、そのような時間を「特定の時間」として設定しておくことにより、携帯情報端末は、サーバ装置によって発言権の予約のための制御がなされなくとも、発言権が解放されたタイミングで、発言権を要求するための処理を実行することになる。また、携帯情報端末は、発言権の予約のための信号の送受信が不要であることからシステム内のトラフィックを増加させることなく、そして、発言権が解放されたタイミングで発言権を取得することができる。
【発明を実施するための最良の形態】
【００２４】
以下、図面を参照しつつ、本発明の一実施の形態である携帯電話機を含む通話システムについて説明する。
【００２５】
図１は、本実施の形態の通話システムの構成を模式的に示す図である。
図１を参照して、本実施の形態の通話システムでは、携帯電話機１００〜１０３が、移動体通信網３０１，３０２およびＩＰネットワーク３００を介して、ＰｏＣサーバ２００に接続可能に構成されている。図１に示す通話システムは、携帯電話機１００〜１０３間の通話を半二重で行なうシステムであり、携帯電話機１００〜１０３間をＩＰネットワーク３００上で通話可能にするＶｏＩＰをベースにしたＰｏＣの発言権をＰｏＣサーバ２００において管理するシステムである。
【００２６】
図２は、携帯電話機１００の外観図である。携帯電話機１００は、第１の筐体１０、第２の筐体２０、および、第１の筐体１０と第２の筐体２０を折り畳み可能に連結する連結部３０とを含む。第１の筐体１０には、携帯電話機１００が開かれた状態で内側に位置する面に、表示部１１およびレシーバ孔１９が設けられている。表示部１１は、たとえばＬＣＤ（liquid crystal device）からなる。
【００２７】
第２の筐体２０には、折り畳まれた状態で内側に位置する面に、テンキーを含むキー群であってダイヤル操作に利用する操作キー群２１、および、電話などの各種の機能設定に利用されるファンクションキーを含む操作キー群２２，２３が設けられている。なお、携帯電話機１００には、図示せぬカメラ（後述するカメラ２６）が備えられている。
【００２８】
また、第２の筐体２０の側面には、カメラ２６の撮影などに利用される操作キー２５およびカメラ２６の撮影の際のズーム調整などのために利用される操作キー群２４が設けられている。また、第２の筐体２０の操作キー群２１の下方には、マイク孔２９が設けられている。
【００２９】
図３は、携帯電話機１００のハードウェア構成を模式的に示す図である。
図３を参照して、携帯電話機１００は、上記した表示部１１、操作キー２５、操作キー群２１〜２４、および、カメラ２６の他に、当該携帯電話機１００の動作を全体的に制御する制御部５０を含む。
【００３０】
また、携帯電話機１００は、表示部１１の表示態様を制御する表示制御部５１、他の機器との間で情報の送受信を行なうための通信制御部８０、アンテナ８１、種々の情報を記憶する記憶部６０を含む。
【００３１】
また、携帯電話機１００は、電話機能のためのマイク５８およびレシーバ５６を含む。携帯電話機１００では、電話機能が実現される際に、ユーザは、マイク孔２９を介してマイク５８に音声を入力し、レシーバ孔１９を介してレシーバ５６が出力する音声を聞く。さらに、携帯電話機１００は、アラーム音などを出力するためのスピーカ５７を含む。携帯電話機１００では、第１の筐体１０または第２の筐体２０のいずれかに設けられた孔（図示せず）を介して、スピーカ５７が出力する音声が外部へ出力される。そして、携帯電話機１００では、マイク５８を介して入力された音声をデジタルデータに変換する音声入力制御部５５、レシーバ５６，スピーカ５７から音声を出力するために音声データをアナログデータに変換する音声出力制御部５３，５４を含む。
【００３２】
携帯電話機１００は、１の端末との間の通話を全二重で行なうこともできるし、複数の端末との間でＰｏＣによる半二重での通話も可能である。
【００３３】
記憶部６０は、ＰｏＣによる通話において各メンバーについての発言権が割り当てられた回数などを記憶する通話情報記憶部６１、制御部５０が実行する種々のアプリケーションについての設定の内容を記憶する設定内容記憶部６２、および、制御部５０が実行するアプリケーションのプログラムおよびプログラムを実行するために必要な種々のデータを記憶するデータ記憶部６３を含む。
【００３４】
表１に、通話情報記憶部６１に記憶される情報の一例を模式的に示す。
【００３５】
【表１】
2008109187.tif 000003
【００３６】
表１から理解されるように、通話情報記憶部６１では、ＰｏＣによる通話のグループのメンバー（通話者）として、Ａ〜Ｅが登録されている。
【００３７】
また、表１では、通話者Ａ〜Ｅの中から、自機に対応する通話者および現在発言権を割り当てられている通話者を特定する情報（表１では「○」）が登録されている。なお、発言権が解放された状態では、いずれの通話者の「発言権」の欄にも「○」は登録されない。
【００３８】
また、表１では、各通話者について、現在の通話において、発言権を割り当てられた回数および発言権を割り当てられた時間が記憶されている。
【００３９】
本実施の形態の携帯電話機１０１〜１０３の外観およびハードウェア構成は、携帯電話機１００と同様である。なお、本発明の携帯情報端末は、外観およびハードウェア構成が異なる端末との間であっても、通話が可能であることは言うまでもない。
【００４０】
次に、携帯電話機１００においてＰｏＣによる通話が行なわれる際に制御部５０が実行する処理（ＰｏＣ通話処理）について、当該処理のフローチャートである図４を参照しつつ説明する。
【００４１】
制御部５０は、まずステップＳ１で、ＰｏＣによる通話を行なうための要求がなされたか否かを判断する。このような要求は、操作キー群２１〜２４に対する対応する操作がなされることによってなされても良いし、他の携帯電話機からの要求によってなされてもよい。そして、ステップＳ１においてそのような要求があったと判断すると、制御部５０は、処理をステップＳ２へ進める。
【００４２】
ステップＳ２では、制御部５０は、ＰｏＣサーバ２００に対してＰｏＣによる通話を開始する旨の要求を送信し、そして、ステップＳ３で、ＰｏＣサーバ２００との接続が確立できたか否かを判断する。そして、接続が確立されたと判断すると、制御部５０は、ステップＳ４へ処理を進める。
【００４３】
ステップＳ４では、現在、ＰｏＣサーバ２００が、携帯電話機１００または当該携帯電話機１００とともに通話に参加している端末のいずれかに発言権を割り当てているか否かを判断する。なお、この判断は、表１に示したような情報を参照することによって行なわれる。なお、携帯電話機１は、表１に示したような情報を、後述するように、ＰｏＣサーバ２００から送信された信号に基づいて更新する。
【００４４】
そして、発言権が通話に参加しているいずれかの端末に割り当てられていると判断すると、制御部５０は、ステップＳ７へ処理を進める。一方、発言権がいずれの端末に対しても割り当てられていない（発言権が解放されている）と判断すると、制御部５０は、ステップＳ５へ処理を進める。
【００４５】
ステップＳ５では、制御部５０は、操作キー２５が押下されたか否かを判断し、押下されていないと判断するとステップＳ４へ処理を戻す。一方、ステップＳ５において、操作キー２５が押下されたと判断すると、制御部５０は、ステップＳ６へ処理を進める。
【００４６】
ステップＳ６では、制御部５０は、ＰｏＣサーバ２００に対して発言権取得要求を送信して、ステップＳ４へ処理を戻す。
【００４７】
ここで、ＰｏＣによる通話においてＰｏＣサーバ２００と携帯電話機１００との間でやり取りされる情報の種類について説明する。
【００４８】
ＰｏＣによる通話において、携帯電話機１００において発言権を取得するための操作（たとえば、操作キー２５の押下）がなされると、制御部５０は、ＰｏＣサーバ２００に対して「発言権取得要求」が送信される。
【００４９】
ＰｏＣサーバ２００では、携帯電話機１００を含む通話中の端末から発言権取得要求を受信すると、その時点で発言権の割り当てを行なっていないことを条件として、発言権を新たに割り当てた旨の情報を通話に参加している全端末に対して送信する。このときＰｏＣサーバ２００から通話中の各端末に送信される情報を、以下「ステータス情報（発言権の割り当て）」と呼ぶ。
【００５０】
ＰｏＣサーバ２００は、発言権を割り当てられていた端末から発言権を解放する情報を送信されると、当該端末に対する発言権の割り当てが終了した旨の情報を、通話中の各端末に送信する。このときＰｏＣサーバ２００から通話中の各端末に送信される情報を、以下「ステータス情報（発言権の解放）」と呼ぶ。
【００５１】
再度図４を参照して、ステップＳ５において操作キー２５が押下されたと判断すると、制御部５０は、ステップＳ６において、ＰｏＣサーバ２００に対して発言権取得要求を送信し、ステップＳ４へ処理を戻す。
【００５２】
これにより、携帯電話機１００では、通話中のいずれの端末にも発言権が割り当てられていない状態では、操作キー２５が押下されると、そのことを条件として、ＰｏＣサーバ２００に対して発言権取得要求を送信する。
【００５３】
一方、通話中の端末のいずれか（携帯電話機１００を含む）に発言権が割り当てられている場合には、ステップＳ７で、操作キー２５が押下されたか否かを判断し、押下されたと判断すると、制御部５０は、ステップＳ８へ処理を進める。一方、操作キー２５が押下されていないと判断すると、制御部５０は、処理をステップＳ４へ戻す。
【００５４】
ステップＳ８では、ＰｏＣサーバ２００から発言権が解放された旨の情報（ステータス情報（発言権の解放））が送信されてきたか否かを判断し、そのような情報が送信されてきたと判断すると、ステップＳ９へ処理を進める。
【００５５】
ステップＳ９では、制御部５０は、発言権取得要求をＰｏＣサーバ２００に対して送信して、ステップＳ４へ処理を戻す。
【００５６】
つまり、携帯電話機１００では、通話中のいずれかの端末（携帯電話機１００を含む）に発言権が割り当てられている間に操作キー２５が押下されると、通話において発言権が解放されたことを条件として、ＰｏＣサーバ２００に対して発言権取得要求を送信する。つまり、携帯電話機１００では、通話中であっていずれかの端末（携帯電話機１００を含む）に発言権が割り当てられている期間内に操作キー２５が押下されると、通話において発言権が解放されたことを条件として、ＰｏＣサーバ２００発言権取得要求が送信される。つまり、本実施の形態では、通話の際にいずれかの端末に発言権が割り当てられている期間中に操作キー２５が押下されると、携帯電話機１００内で発言権取得要求を送信することについての予約がなされることになる。
【００５７】
次に、表１に示した情報（通話情報）を更新するために制御部５０が実行する処理（通話情報更新処理）の内容を、当該通話情報更新処理のフローチャートである図５を参照しつつ説明する。なお、通話情報更新処理は、ＰｏＣによる通話が開始されたことを条件として開始される。
【００５８】
通話情報更新処理では、制御部５０は、まずステップＳ１０で、表１に示したような通話情報をクリアして、ステップＳ１１へ処理を進める。
【００５９】
ステップＳ１１では、ＰｏＣサーバ２００からステータス情報（発言権の割り当て）を受信したか否かを判断し、受信したと判断するとステップＳ１２へ処理と進める。
【００６０】
ステップＳ１２では、受信したステータス情報（発言権の割り当て）に基づいて、表１の「発言権」の欄の情報を更新して、ステップＳ１３に処理を進める。これにより、携帯電話機１００内の通話情報において、現在発言権がどの端末に割り当てられているかという情報が更新されることになる。
【００６１】
ステップＳ１３では、制御部５０は、受信したステータス情報（発言権の割り当て）に基づいて、通話情報における発言権割当回数を更新して、ステップＳ１４へ処理を進める。具体的には、現在発言権を割り当てられている通話者についての発言権割当回数を１加算更新する。
【００６２】
ステップＳ１４では、制御部５０は、ステップＳ１３において発言権割当回数を１加算更新した通話者についての、発言権割当時間のカウントを開始して、ステップＳ１５へ処理を進める。
【００６３】
ステップＳ１５では、制御部５０は、ＰｏＣサーバ２００からステータス情報（発言権の解放）を受信したか否かを判断し、そのような情報を受信したと判断すると、ステップＳ１６へ処理を進める。
【００６４】
ステップＳ１６では、制御部５０は、ステップＳ１４でカウントを開始した発言権割当時間のカウント動作を停止させる。これにより、ステップＳ１３で発言権割当回数を更新された通話者の発言権割当時間が、ステップＳ１４を実行されてからステップＳ１６が実行されるまでの時間だけ加算更新される。
【００６５】
なお、ステップＳ１６では、制御部５０は、表１において発言権の欄の「○」印を消去する。これにより、次回発言権が割り当てられるまで、表１では、すべての通話者についての「発言権」の欄が空欄となる。
【００６６】
次に、制御部５０は、ステップＳ１７において、ＰｏＣによる通話が終了したか否かを判断し、まだ終了していないと判断するとステップＳ１１へ処理を戻し、そして、通話が終了したと判断すると、通話情報更新処理を終了させる。
【００６７】
以上説明した本実施の形態では、「操作キー２５の押圧」により、「入力手段への情報の入力」が構成されている。
【００６８】
また、以上説明した本実施の形態では、ＰｏＣによる通話においていずれかの通話者に発言権が割り当てられている場合（ステータス情報（発言権の割り当て）を受信してからステータス情報（発言権の解放）を受信するまで）、操作キー２５が押下されると、携帯電話機１００は、発言権が解放されたことを通知する情報（ステータス情報（発言権の解放））を受信したことを条件として、ＰｏＣサーバ２００へ発言権取得要求を出力する。
【００６９】
なお、ＰｏＣによる通話について、各端末に対して、発言権を継続して保持できる時間に制限がある場合、ステータス情報（発言権の割り当て）を受信してから当該制限時間が経過するタイミングで、発言権取得要求を送信するよう構成されてもよい。具体的には、図４に示された処理において、ステップＳ８で発言権が解放されたか否かを判断する代わりにステータス情報（発言権の割り当て）を受信してから当該制限時間が経過したか否かを判断すればよい。このように構成されることにより、携帯電話機１００は、現在発言権を割り当てられている端末のユーザが制限時間いっぱい話をした場合であっても、その話が終わった直後（当該ユーザの端末に対する発言権の割り当ての直後）に、ＰｏＣサーバ２００に対して発言権取得要求を送信することができる。
【００７０】
なお、本実施の形態の携帯電話機１００に対して、当該携帯電話機１００のみが発言権を割り当てられることを回避するための構成をさらに備えさせることもできる。
【００７１】
たとえば、当該携帯電話機１００に対して発言権が割り当てられているときには、操作キー２５が押下されても、発言権取得要求を送信しないように構成されることが好ましい。具体的には、ステップＳ４（図４参照）において発言権が割り当てられているか否かが判断されるが、この場合に、発言権が自機に割り当てられていると判断すると、ステップＳ８において発言権が解放されたと判断するまで、操作キー２５が押下されてもステップＳ７からステップＳ８へは処理を進めないように（つまり、操作キー２５に対する押下を無効化するように）構成されることが好ましい。
【００７２】
また、ステップＳ７（図４参照）において操作キー２５が押下された場合に、今回の通話において携帯電話機１００に対する発言権の割当回数が他の端末と比べて多い場合や、携帯電話機１００に対して発言権が割り当てられていた時間が他の端末と比較して長い場合には、操作キー２５が押下されても、ステップＳ８およびステップＳ９へは処理を進めないように、つまり、発言権取得要求を送信しないように、構成されることが好ましい。
【００７３】
具体的には、ステップＳ７において操作キー２５が押下されたと判断されても、自機の発言権割当回数が、全通話者の発言権割当回数の総和の２分の１以下である場合にのみステップＳ８以降へ処理を進め、２分の１を越える場合にはステップＳ８以降の処理は行なわずそのままステップＳ４へ処理を戻すように構成される。
【００７４】
または、ステップＳ７において、操作キー２５が押下されたと判断された場合であっても、自機の発言権の割当時間が、すべての通話者の発言権割当時間の総和の２分の１以下である場合にのみステップＳ８以降に処理が進められ、２分の１を越える場合には、ステップＳ８以降の処理は行なわれずそのままステップＳ４へ処理が戻される。
【００７５】
なお、上記した発言権割当回数や発言権割当時間に関する判断は、制御部５０が表１に示された情報（通話情報）を参照することによって実行される。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の一実施の形態である携帯電話機を含む通話システムの構成を模式的に示す図である。
【図２】本発明の一実施の形態である携帯電話機の外観図である。
【図３】図２の携帯電話機のハードウェア構成を模式的に示す図である。
【図４】図３の制御部が実行するＰｏＣ通話処理のフローチャートである。
【図５】図３の制御部が実行する通話情報更新処理のフローチャートである。
【図６】従来の通話システムの構成を模式的に示す図である。
【図７】図６の通話システムにおける発言権の予約動作を示すシーケンスチャートである。
【符号の説明】
【００７８】
１０  第１の筐体、１１  表示部、１９  レシーバ孔、２０  第２の筐体、２１〜２４  操作キー群、２５  操作キー、２６  カメラ、２９  マイク孔、３０  連結部、５０  制御部、５１  表示制御部、５３，５４  音声出力制御部、５５  音声入力制御部、５６  レシーバ、５７  スピーカ、５８  マイク、６０  記憶部、６１  通話情報記憶部、６２  設定内容記憶部、６３  データ記憶部、８０  通信制御部、８１  アンテナ、１００〜１０３  携帯電話機、２００  ＰｏＣサーバ、３００  ＩＰネットワーク、３０１，３０２  移動体通信網。
【図１】
2008109187.tif 000004
【図２】
2008109187.tif 000005
【図３】
2008109187.tif 000006
【図４】
2008109187.tif 000007
【図５】
2008109187.tif 000008
【図６】
2008109187.tif 000009
【図７】
2008109187.tif 000010